【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
対象者の生活習慣改善を支援するための支援情報を提供する生活習慣管理支援装置であって、
前記対象者の生活習慣に関連性を有する生活習慣関連情報を取得する生活習慣関連情報取得部と、
前記対象者の前記生活習慣関連情報に基づいて、生活習慣改善に対する自己効力感の高さを表す心理状態指標の値を求める心理状態評価部と、
前記対象者の前記生活習慣関連情報に基づいて、生活習慣改善に対する行動実績の高さを表す行動状態指標の値を求める行動状態評価部と、
前記心理状態指標と前記行動状態指標を含む複数の指標軸による分類を用いて、前記対象者の前記心理状態指標の値及び前記行動状態指標の値から、前記対象者のタイプを判定するタイプ判定部と、
自己効力感に影響を与える複数の情報源に対応する、複数のメッセージを予め記憶するメッセージ記憶部と、
前記対象者のタイプに合わせた支援情報の提供を行う情報提供制御部と、を有し、
前記タイプ判定部は、前記心理状態指標と前記行動状態指標を含む複数の指標軸により、自己効力感と行動実績がともに高いタイプ１、自己効力感が低く行動実績が高いタイプ２、自己効力感が高く行動実績が低いタイプ３、自己効力感と行動実績がともに低いタイプ４を含む複数のタイプのいずれかに前記対象者を分類するものであり、
前記情報提供制御部は、
前記メッセージ記憶部から読み込んだメッセージを前記支援情報として提供する機能を有するものであり、且つ、
前記複数のメッセージのなかから前記対象者に提供するメッセージを選択するときに、いずれの情報源に対応するメッセージを優先的に選択すべきかを、前記対象者のタイプに応じて変更する
ことを特徴とする生活習慣管理支援装置。
【請求項２】
前記メッセージ記憶部は、自己効力感に影響を与える４つの情報源である、達成体験、代理体験、言語的説得、生理的・情動的高揚のそれぞれに対応する、複数のメッセージを予め記憶する
ことを特徴とする請求項１に記載の生活習慣管理支援装置。
【請求項３】
前記情報提供制御部は、
前記４つの情報源の間の相対的な優先度をタイプごとに定義したテーブルを有しており、且つ、
前記複数のメッセージのなかから前記対象者に提供するメッセージを選択するときに、前記対象者のタイプに対応する前記相対的な優先度に応じた確率で情報源を選択し、前記選択された情報源に対応するメッセージを選択する
ことを特徴とする請求項２に記載の生活習慣管理支援装置。
【請求項４】
前記情報提供制御部は、
メッセージを提供したときの前記対象者の反応の良否を取得し、提供したメッセージの総数に対する良反応が得られたメッセージの割合である反応率を情報源ごとに記録する機能を有しており、且つ、
前記情報源ごとの反応率に基づいて、反応率が相対的に高い情報源の優先度を大きくするように、前記４つの情報源の間の相対的な優先度を変更する
ことを特徴とする請求項３に記載の生活習慣管理支援装置。
【請求項５】
前記情報提供制御部は、
前記対象者がタイプ１である場合、達成体験に対応するメッセージを他の情報源に対応するメッセージよりも優先的に選択し、
前記対象者がタイプ２である場合、達成体験に対応するメッセージ及び言語的説得に対応するメッセージを他の情報源に対応するメッセージよりも優先的に選択し、
前記対象者がタイプ３である場合、代理体験に対応するメッセージ及び生理的・情動的高揚に対応するメッセージを他の情報源に対応するメッセージよりも優先的に選択し、
前記対象者がタイプ４である場合、達成体験に対応するメッセージ及び代理体験に対応するメッセージを他の情報源に対応するメッセージよりも優先的に選択する
ことを特徴とする請求項１〜４のうちいずれか１項に記載の生活習慣管理支援装置。
【請求項６】
前記情報提供制御部は、前記対象者に前記支援情報を提供する頻度を前記対象者のタイプに応じて変更する
ことを特徴とする請求項１〜４、６のうちいずれか１項に記載の生活習慣管理支援装置。
【請求項７】
前記情報提供制御部は、前記支援情報として、前記タイプ判定部によって判定された前記対象者のタイプを提示する機能を有する
ことを特徴とする請求項１〜４、６、７のうちいずれか１項に記載の生活習慣管理支援装置。
【請求項８】
前記生活習慣関連情報は、前記対象者に実施した生活習慣に関するアンケートの回答データを含む
ことを特徴とする請求項１〜４、６、７、８のうちいずれか１項に記載の生活習慣管理支援装置。
【請求項９】
前記生活習慣関連情報は、前記対象者の行動又は生体情報を測定することで得られる測定データを含む
ことを特徴とする請求項１〜４、６、７、８、９のうちいずれか１項に記載の生活習慣管理支援装置。
【請求項１０】
対象者の生活習慣改善を支援するための支援情報を提供する生活習慣管理支援方法であって、
コンピュータが、前記対象者の生活習慣に関連性を有する生活習慣関連情報を取得するステップと、
コンピュータが、前記対象者の前記生活習慣関連情報に基づいて、生活習慣改善に対する自己効力感の高さを表す心理状態指標の値を求めるステップと、
コンピュータが、前記対象者の前記生活習慣関連情報に基づいて、生活習慣改善に対する行動実績の高さを表す行動状態指標の値を求めるステップと、
コンピュータが、前記心理状態指標と前記行動状態指標を含む複数の指標軸による分類を用いて、前記対象者の前記心理状態指標の値及び前記行動状態指標の値から、前記対象者のタイプを判定するステップと、
コンピュータが、自己効力感に影響を与える複数の情報源に対応する、複数のメッセージを予め記憶するメッセージ記憶部から、前記対象者に提供するメッセージを選択するステップと、
コンピュータが、前記選択されたメッセージを含む支援情報の提供を行うステップと、を有し、
前記対象者のタイプを判定するステップでは、前記心理状態指標と前記行動状態指標を含む複数の指標軸により、自己効力感と行動実績がともに高いタイプ１、自己効力感が低く行動実績が高いタイプ２、自己効力感が高く行動実績が低いタイプ３、自己効力感と行動実績がともに低いタイプ４を含む複数のタイプのいずれかに前記対象者が分類され、
前記複数のメッセージのなかから前記対象者に提供するメッセージを選択するときに、いずれの情報源に対応するメッセージを優先的に選択すべきかが、前記対象者のタイプに応じて変更される
ことを特徴とする生活習慣管理支援方法。
【請求項１１】
請求項１０に記載の生活習慣管理支援方法の各ステップをコンピュータに実行させるためのプログラム。
【請求項１２】
対象者の生活習慣改善を支援するための支援情報を提供する生活習慣管理支援装置であって、
前記対象者の生活習慣に関連性を有する生活習慣関連情報を取得する生活習慣関連情報取得部と、
前記対象者の前記生活習慣関連情報に基づいて、生活習慣改善に対する自己効力感の高さを表す心理状態指標の値を求める心理状態評価部と、
前記対象者の前記生活習慣関連情報に基づいて、生活習慣改善に対する行動実績の高さを表す行動状態指標の値を求める行動状態評価部と、
前記心理状態指標と前記行動状態指標を含む複数の指標軸による分類を用いて、前記対象者の前記心理状態指標の値及び前記行動状態指標の値から、前記対象者のタイプを判定するタイプ判定部と、
前記対象者のタイプに合わせた支援情報の提供を行う情報提供制御部であって、前記対象者に前記支援情報を提供する頻度を前記対象者のタイプに応じて変更する情報提供制御部と、
を有し、
前記タイプ判定部は、前記心理状態指標と前記行動状態指標を含む複数の指標軸により、自己効力感と行動実績がともに高いタイプ１、自己効力感が低く行動実績が高いタイプ２、自己効力感が高く行動実績が低いタイプ３、自己効力感と行動実績がともに低いタイプ４を含む複数のタイプのいずれかに前記対象者を分類する
ことを特徴とする生活習慣管理支援装置。
【請求項１３】
対象者の生活習慣改善を支援するための支援情報を提供する生活習慣管理支援方法であって、
コンピュータが、前記対象者の生活習慣に関連性を有する生活習慣関連情報を取得するステップと、
コンピュータが、前記対象者の前記生活習慣関連情報に基づいて、生活習慣改善に対する自己効力感の高さを表す心理状態指標の値を求めるステップと、
コンピュータが、前記対象者の前記生活習慣関連情報に基づいて、生活習慣改善に対する行動実績の高さを表す行動状態指標の値を求めるステップと、
コンピュータが、前記心理状態指標と前記行動状態指標を含む複数の指標軸による分類を用いて、前記対象者の前記心理状態指標の値及び前記行動状態指標の値から、前記対象者のタイプを判定するステップと、
コンピュータが、前記対象者のタイプに合わせた支援情報の提供を行うステップと、を有し、
前記対象者のタイプを判定するステップでは、前記心理状態指標と前記行動状態指標を含む複数の指標軸により、自己効力感と行動実績がともに高いタイプ１、自己効力感が低く行動実績が高いタイプ２、自己効力感が高く行動実績が低いタイプ３、自己効力感と行動実績がともに低いタイプ４を含む複数のタイプのいずれかに前記対象者が分類され、
前記対象者に前記支援情報を提供する頻度が前記対象者のタイプに応じて変更されることを特徴とする生活習慣管理支援方法。
【請求項１４】
請求項１３に記載の生活習慣管理支援方法の各ステップをコンピュータに実行させるためのプログラム。